(57)【要約】      （修正有）【課題】トイレットペーパー用ホルダーに簡易かつ確実に取付けて使用でき、使い勝手に優れたトイレットペーパーホルダー用収納ボックスを提供する。【解決手段】壁面Ｗに取付られる背板１１および両側板１２を有し、両側板１２間にロール状のトイレットペーパーＰを着脱可能かつ回動自在に支持するホルダー１０に対し、同ホルダー１０の上面に掛止される掛止部材１１０と、掛止部材１１０の両端から左右の吊下げ部１２１を介してホルダー１０の下方に吊下げられ前方から小物を出し入れ可能な収納部１２２を有する収納ボックス本体１２０と、収納ボックス本体１２０を壁面Ｗに着脱可能に固定する固定手段を有する。【選択図】図１
2012228341.tif 000002
【特許請求の範囲】
【請求項１】
壁面に取付される背板および両側板を有し、両側板間にロール状のトイレットペーパーが着脱可能かつ回動自在に支持されるホルダーに対し、ホルダーの上面に掛止される掛止部材と、掛止部材の両端から左右の吊下げ部を介してホルダーの下方に吊下げられ内部に前方から小物を出し入れ可能な収納部を有する収納ボックス本体と、収納ボックス本体を壁面に着脱可能に固定する固定手段を有することを特徴とするトイレットペーパーホルダー用収納ボックス。
【請求項２】
ホルダーの両側板間に支持されたトイレットペーパーと背板との間の隙間に挿通され、掛止部材の、両吊下げ部の中間位置から収納ボックス本体を吊り下げる中間吊下げ部材を有することを特徴とする請求項１記載のトイレットペーパーホルダー用収納ボックス。
【請求項３】
掛止部材に係止されホルダーの両側板上面に載置される小物置き用の載置板を有することを特徴とする請求項１または請求項２記載のトイレットペーパーホルダー用収納ボックス。
【請求項４】
収納ボックス本体の収納部とホルダーとの間に予備のトイレットペーパーを保管する保管部が設けられていることを特徴とする請求項１ないし請求項３のいずれか一項に記載のトイレットペーパーホルダー用収納ボックス。
【請求項５】
収納ボックス本体の収納部内に前方へ引き出し可能な内ボックスを有することを特徴とする請求項１ないし請求項４のいずれか一項に記載のトイレットペーパーホルダー用収納ボックス。
【請求項６】
収納ボックス本体の前面に開閉蓋を有することを特徴とする請求項１ないし請求項５のいずれか一項に記載のトイレットペーパーホルダー用収納ボックス。
【発明の詳細な説明】
【技術分野】
【０００１】
本発明は、トイレットペーパーホルダーに取付けて用いる収納ボックスに関する。
【背景技術】
【０００２】
従来一般のトイレットペーパーホルダーは、壁に取り付けたホルダー本体の背板の左右両側から前方に延びる側板間にロール状のトイレットペーパーを回動自在にセットし、所望の長さだけ引き出したトイレットペーパーを、トイレットペーパーを覆うカッター蓋の先端により途中で切断して用いるようになっている。かかるトイレットペーパーホルダーの例として特開平１１−１６９３１５号公報（特許文献１）や特開２０００−１３９７６５号（特許文献２）に開示されたものが知られている。
【先行技術文献】
【特許文献】
【０００３】
【特許文献１】特開平１１−１６９３１５号公報
【特許文献２】特開２０００−１３９７６５号公報
【発明の概要】
【発明が解決しようとする課題】
【０００４】
しかしながら、トイレットペーパー以外の小物でトイレット内で用いる小物を収納する場所としては、例えば、上方空間に収納室を作り付けるか、壁間に市販の長尺な棒状ネットを仮固定して上方に収納空間を作るか、あるいは足元に収納棚を置く等しかなく、前者の場合、使用する際に一々立ち上がって小物を取り降ろす手間がかかり、後者の場合、足元空間が狭くなり、いずれの場合も使い勝手が良いとはとても言えなかった。
【０００５】
本発明は上記事情に鑑みてなされたもので、トイレットペーパー用ホルダーに簡易かつ確実に取付けて使用でき、使い勝手に優れたトイレットペーパーホルダー用収納ボックスを提供することを目的とする。
【課題を解決するための手段】
【０００６】
上記課題を解決するために、本発明に係るトイレットペーパーホルダー用収納ボックスは、
壁面に取付られる背板および両側板を有し、両側板間にロール状のトイレットペーパーを着脱可能かつ回動自在に支持するホルダーに対し、同ホルダーの上面に掛止される掛止部材と、掛止部材の両端から左右の吊下げ部を介してホルダーの下方に吊下げられ前方から小物を出し入れ可能な収納部を有する収納ボックス本体と、収納ボックス本体を壁面に着脱可能に固定する固定手段を有することを特徴とする。
【０００７】
本発明に係るトイレットペーパーホルダー用収納ボックスは、ホルダーの両側板間に支持されたトイレットペーパーと背板との間の隙間に挿通され、掛止部材の、両吊下げ部の中間位置から収納ボックス本体を吊り下げる中間吊下げ部材を有することを第２の特徴とする。
【０００８】
本発明に係るトイレットペーパーホルダー用収納ボックスは、掛止部材に係止されホルダーの両側板上面に載置される小物置き用の載置板を有することを第３の特徴とする。
【０００９】
本発明に係るトイレットペーパーホルダー用収納ボックスは、収納ボックス本体の収納部とホルダーとの間に予備のトイレットペーパーを保管する保管部を設けたことを第４の特徴とする。
【００１０】
本発明に係るトイレットペーパーホルダー用収納ボックスは、収納ボックス本体の収納部内に前方へ引き出し可能な内ボックスを有することを第５の特徴とする。
【００１１】
本発明に係るトイレットペーパーホルダー用収納ボックスは、収納ボックス本体の前面に開閉蓋を有することを第６の特徴とする。
【発明の効果】
【００１２】
以上説明したように、本発明によると、簡素な構造をもち、トイレットペーパーホルダーに簡易にかつ確実に取付けて吊下げた姿勢で使用することができ、使い勝手に優れる便利なトイレットペーパーホルダー用の収納ボックスを実現することができる。
【００１３】
また、かかるトイレットペーパーホルダー用の収納ボックスを安価に製作し提供することができるという効果を奏する。
【図面の簡単な説明】
【００１４】
【図１】本発明に係るトイレットペーパーホルダー用収納ボックスの第１の実施形態を示すもので、同収納ボックスを斜め前方から見た図、
【図２】図１に示す収納ボックスを斜め後方から見た図、
【図３】図１に示す収納ボックスをトイレットペーパーホルダーに取付ける手順を示す斜視図、
【図４】本発明に係るトイレットペーパーホルダー用収納ボックスの第１の実施形態を示すもので、同収納ボックスを斜め後方から見た図である。
【発明を実施するための最良の形態】
【００１５】
以下、本発明を実施するための最良の形態について図面を参照して説明する。図１ないし図３は本発明の第１の実施形態を示すもので、これらの図において、符号１０はトイレットペーパーホルダー（以下、「ホルダー」と称す）、符号１００はトイレットペーパーホルダー用収納ボックス（以下、「収納ボックス」と称す）を示している。
【００１６】
ホルダー１０は、図１および図２に示すように、壁面Ｗに取付られる背板１１および前方に延びる左右一対の側板１２、１２からなる平面コ字状の構造を有している。両側板１２、１２間にはロール状のトイレットペーパーＰが左右の軸部１３、１３を介して着脱可能かつ回動自在に支持されている。背板１１および両側板１２はステンレス製またはプラスチック製等からなる。両側板１２間には軸部１３、１３間に支持されたトイレットペーパーＰの上部を開閉自在に覆い、トイレットペーパーＰを切断するために用いる切断用蓋（図示せず）を支持させることができる。
【００１７】
収納ボックス１００は、掛止部材１１０と、収納ボックス本体１２０と、中間吊下げ部材１３０と、載置板１４０と、吸着部材（固定手段）１５０とから構成されている。
【００１８】
掛止部材１１０は、図１および図２に示すように、ホルダー１０の両側板１２、１２から側方に突出する長さを有し、ホルダー１０の上面（両側板１２の上面および背板１１の上面）の後端寄りに水平姿勢に掛止される棒状部材からなっている。同掛止部材１１０は、収納ボックス本体１２０を、ホルダー１０の下方に吊り下げるとともに、、載置板１４０をホルダー１０の両側板１２の上面間に支持する役目をする。掛止部材１１０の両端には、吊下げた収納ボックス本体１２０の抜け止め用のナット部材１１１が着脱可能に取り付けられている。
【００１９】
収納ボックス本体１２０は、図１および図２に示すように、掛止部材１１０の両端に左右の吊下げ部１２１、１２１を介してホルダー１０の下方に吊下げられるようになっており、左右の吊下げ部１２１、１２１の下側にはボックス状の収納部１２２が設けられている。この収納部１２２は、天板１２３、背板１２４、左右の側板１２５および前板１２６からなっている。各吊下げ部１２１の上端１２１ａには掛止部材１１０が挿通される掛止孔１２７が設けられている。そして、収納部１２２内には、前板１２６の開口部１２６Ａから直方体形状の内ボックス１６０が前方へ引き出し可能に収納されている。
【００２０】
内ボックス１６０には多種多様な小物を収容することができ、例えば生理用品、ティッシュペーパー、ウェットティッシュなどを収容可能である。これらの小物を内ボックス１６０に収容することで、普段は収納部１２２内に目立たないように収納され、必要時に内ボックス１６０をさっと引き出して使用することができる。なお、符号１６１は内ボックス１６０の引き出し用の係止用孔である。
【００２１】
ホルダー１０とボックス状の収納部１２２の天板１２３との間には予備のトイレットペーパーを保管する保管部１７０が設けられている。
【００２２】
中間吊下げ部材１３０は、左右の吊下げ部１２１、１２１の中間に位置して、掛止部材１１０から吊下げられた収納ボックス本体１２０の中間部を吊下げ支持するもので、輪状のバンド状または紐状部材からなっている。より具体的には、図２に示すように、中間吊下げ部材１３０の上端１３０ａがホルダー１０の背板１１とトイレットペーパーＰとの間の隙間Ｓを通り掛止部材１１０に掛止される一方、中間吊下げ部材１３０の下端１３０ｂが収納ボックス本体１２０の背板１２４に設けられた吊下げ用孔１２８に掛止されている。
【００２３】
上記中間吊下げ部材１３０は、その上端１３０ａがホルダー１０の背板１１とトイレットペーパーＰとの間の隙間Ｓを通り掛止部材１１０に掛止され、および下端１３０ｂが収納ボックス本体１２０の背板１２４の吊下げ用孔１２８に掛止されることにより、掛止部材１１０を確実にホルダー１０の両側板１の上面間に保持するようになっている。例えば、紐テープもしくは着脱可能な面ファスナーを備えるバンドを用いることができる。
【００２４】
載置板１４０は、比較的硬質なプラスチック等の板状部材からなり、ホルダー１０の両側板１２の上面間に支持されるとともに、左右の輪状の支持部材１４１、１４１によって掛止部材１１０に支持されている。かかる載置板１４０は、トイレ入室時に小物、例えば携帯電話や手帳などを一時的に載置するためのものである。
【００２５】
吸着部材（固定手段）１５０は、収納ボックス本体１２０の背板１２４に取り付けられたゴム製や軟質プラスチック製の吸盤等からなり、掛止部材１１０および中間吊下げ部材１３０によりホルダー１０の下方に吊下げられた収納ボックス本体１２０を壁Ｗに吸着させて固定する役目をする。また、これにより内ボックス１６０を手前に引き出す際に収納ボックス本体１２０が前方に揺動して内ボックス１６０のスムーズな引き出し動作が阻害されるのを防止する。
【００２６】
以上のように構成された収納ボックス１００は、次のようにして用いる。まず、図３のようにして、収納ボックス１００を壁Ｗに既設のホルダー１０に取り付けて吊下げる。
【００２７】
収納ボックス本体１２０の吊下げ用孔１２８に掛止された中間吊下げ部材１３０の上端１３０ａをホルダー１０の背板１１とトイレットペーパーＰの隙間Ｓから上方に通すとともに、収納ボックス本体１２０の左右の吊下げ部１２１、１２１をホルダー１０の両側板１２、１２の両脇に位置させる。また、載置板１４０をホルダー１０の両側板１２、１２の上面に乗せる。
【００２８】
かかる状態で、図３に示すように、掛止部材１１０の一端１１０Ａを、収納ボックス本体１２０の掛止孔１２７、載置板１４０の支持部材１４１、中間吊下げ部材１３０の上端１３０ａ、支持部材１４１、掛止孔１２７に順次通し、掛止部材１１０の一端１１０Ａに抜け止め用のナット部材１１１を取り付け、ホルダー１０の両側板１２、１２の上面間に掛止する。最後に、背面の吸着部材１５０により収納ボックス１００を壁面Ｗに固定する。これにより、ホルダー１０に対し収納ボックス１００の取り付けおよび吊下げが完了する。
【００２９】
ホルダー１０に吊下げた収納ボックス１００内にトイレットで使用する多種多用な小物を収納することができ、また、洋式便器に着座した姿勢で、あるいは和式便器にしゃがんだ姿勢で、立ち上がることなく、収納ボックス１００内から内ボックス１６０を引き出し、中の必要な小物を取り出すことができるので、使い勝手に優れ、便利な収納ボックス１００を実現できる。
【００３０】
本実施形態の収納ボックス１００によると、次のような効果が得られる。
【００３１】
（１）壁面Ｗに既設のホルダー１０に対し、収納ボックス１００を容易に取り付けて吊下げることができる。ホルダー１０の直下の死角となる空間に吊下げるので、足元の邪魔になることがなく、トイレット空間を有効利用することができる。
【００３２】
（２）内ボックス１６０を引き出す際は、収納ボックス本体１２０が吸着部材１５０で壁面Wに固定されているので、収納ボックス１００が前方に動くことがなく、スムーズに内ボックス１６０を引き出すことができる。
【００３３】
（３）ホルダー１０とボックス状の収納部１２２の天板１２３との間に所定の空間が設けられているので、保管部１７０として予備のトイレットペーパーを保管することができ、使い勝手をより向上させることができる。
【００３４】
（４）トイレットペーパーＰを交換する際、トイレットペーパーＰの残りの芯を上に持ち上げて外す場合が多いが、掛止部材１１０回りに載置板１４０が同時に上に持ち上がるので、トイレットペーパーＰをスムーズに交換することができる。
【００３５】
（５）掛止部材１１０と収納ボックス本体１２０を、ホルダー１０の隙間Ｓを上下に通る中間吊下げ部材１３０でつなぐ構造なので、ホルダー１０上面に乗せた掛止部材１１０がホルダー１０から落下することがなく、従って、ホルダー１０に収納ボックス１００を安定して吊下げることができる。また、載置板１４０もホルダー１０上面に安定して支持される。
【００３６】
（６）収納ボックス１００の構造が非常にシンプルなので、製作費用を安価に抑えることができる。
【００３７】
図４は、本発明の第２の実施形態を示すもので、図中、図２に示す部材と同一部材には同一符号を付して説明を省略する。
【００３８】
図４に示す収納ボックス２００は、収納ボックス本体１２０の前板１２４の開口部１２４Aに開閉蓋１６２が回動軸１６３を介して取付けられている。開閉蓋１６２には連結部材１６４を介して底板１６５が取付けられ、回動軸１６３回りに開閉蓋１６２を前方へ倒して開くと、連動して底板１６５が回動軸１６３回りに起立するように動く。なお、開閉蓋１６２の内面上端および前板１２４の開口部１２４A上端には開閉蓋１６２の閉時に弾性変形して互いに係合する係合部１６６A、１６６Bが設けられている。
【００３９】
本実施形態の収納ボックス２００によると、前述の収納ボックス１００と同様の効果を奏するほか、開閉蓋１６２の開動作に連動して底板１６５が持ち上がるので、収納ボックス２００内に収納した小物をより取り出しやすいという効果を奏する。
【００４０】
かくして、本発明のトイレットペーパーホルダー用収納ボックスによれば、簡素な構造をもち、ホルダーに簡易にかつ確実に取付けて使用することができ、多用な小物を収納ボックス内に収納または載置板上に配置できて、使い勝手に優れたトイレットペーパー用収納ボックスを実現することができる。
【産業上の利用可能性】
【００４１】
本発明に係るトイレットペーパーホルダー用収納ボックスは、トイレットペーパーホルダーに取付けて、中の小物を取り出して用いることのできる収納ボックスとして利用可能である。
【符号の説明】
【００４２】
１０  トイレットペーパーホルダー
１１，１２４  背板
１２，１２５  側板
１３  軸部
１００，２００  収納ボックス
１１０  掛止部材
１１１  ナット部材
１２０  収納ボックス本体
１２１  吊下げ部
１２２  収納部
１２３  天板
１２６  前板
１２６Ａ  開口部
１２７  掛止孔
１２８  吊下げ用孔
１３０  中間吊下げ部材
１３０ａ  中間吊下げ部材の上端
１３０ｂ  中間吊下げ部材の下端
１４０  載置板
１４１  支持部材
１５０  吸着部材
１６０  内ボックス
１６１  係止用孔
１６２  開閉蓋
１６３  回動軸
１６４  連結部材
１６５  底板
１６６Ａ，１６６Ｂ  係合部
１７０  保管部
Ｐ  トイレットペーパー
Ｗ  壁面
【図１】
2012228341.tif 000003
【図２】
2012228341.tif 000004
【図３】
2012228341.tif 000005
【図４】
2012228341.tif 000006